(57)【要約】【課題】より好適な自動合焦を行う。【解決手段】PDA１は、静止画撮影モードにおいて、ユーザがAF枠２６１の位置を指定してない場合、撮影画枠の中心を中心とする、所定の範囲のAF領域を対象としてAF処理を行う。ユーザがディスプレイに重畳されたタッチパネルの、EVFエリア２２１上の任意の位置をタップすると、タッチパネルがその座標を検出し、AF枠２６１が、その座標を中心とするようにAF領域が配置され、そのAF領域を対象としてAF処理が行われる。このとき、静止画像のキャプチャ時におけるAF処理は省略される。また、ユーザが所定の短い間隔でEVFエリア２２１上を２回タップすると、PDA１は、AF領域を、ユーザがAF枠２６１の位置を指定していない状態に戻す。本発明は、PDAに適用することができる。【選択図】      図１４
2004208122.tif 000002
【特許請求の範囲】
【請求項１】
被写体を撮像し、前記被写体の動画像および静止画像を取り込む撮像手段と、
焦点距離を調整し、前記撮像手段による撮像範囲内の所定の第１の領域に含まれる前記被写体に合焦させる合焦手段と、
ユーザにより入力される、前記撮像範囲内における前記第１の領域の位置の指定を受け付ける受け付け手段と、
前記受け付け手段により受け付けられた前記指定に基づいて、前記第１の領域を、前記撮像範囲内の任意の位置に設定する位置設定手段と、
前記合焦手段による前記焦点距離の調整を禁止する禁止手段と
を備え、
前記合焦手段は、前記撮像手段が前記静止画像を取り込む場合と、前記位置設定手段が前記第１の領域の位置を設定する場合に、前記焦点距離を調整し、前記被写体に合焦させ、
前記禁止手段は、前記撮像手段が前記静止画像を取り込む場合の、前記合焦手段による前記焦点距離の調整を禁止する
ことを特徴とする撮像装置。
【請求項２】
前記位置設定手段は、前記受け付け手段により前記指定が受け付けられていない場合、前記第１の領域の中心が前記撮像範囲の中心に位置するように、前記第１の領域の位置を設定する
ことを特徴とする請求項１に記載の撮像装置。
【請求項３】
前記位置設定手段は、前記受け付け手段により前記指定が受け付けられた場合、前記第１の領域の中心が、前記ユーザが指定した座標に位置するように、前記第１の領域の位置を設定する
ことを特徴とする請求項１に記載の撮像装置。
【請求項４】
前記撮像手段により前記被写体を撮像して得られた動画像を表示する表示手段をさらに備え、
前記受け付け手段は、前記表示手段に重畳されたタッチパネルにより構成され、前記ユーザが前記表示手段により表示されている前記動画像を確認しながら第１の方法で入力した座標を検出し、前記指定として受け付ける
ことを特徴とする請求項１に記載の撮像装置。
【請求項５】
前記第１の方法は、前記ユーザが前記タッチパネルを１回タップする方法である
ことを特徴とする請求項４に記載の撮像装置。
【請求項６】
前記第１の領域の設定を初期化して、前記受け付け手段により前記指定が受け付けられた状態の設定から、前記指定が受け付けられていない状態の設定に戻す初期化手段をさらに備え、
前記受け付け手段は、前記ユーザが第２の方法で入力した、前記第１の領域の設定の初期化の指示をさらに受け付け、
前記初期化手段は、前記受け付け手段により受け付けられた前記指示に基づいて、前記第１の領域の設定を初期化する
ことを特徴とする請求項４に記載の撮像装置。
【請求項７】
前記第２の方法は、前記ユーザが前記タッチパネルを所定の時間内に２回タップする方法である
ことを特徴とする請求項６に記載の撮像装置。
【請求項８】
前記第２の方法は、前記ユーザが所定の時間以上接触するように前記タッチパネルをタップする方法である
ことを特徴とする請求項６に記載の撮像装置。
【請求項９】
前記表示手段は、前記合焦手段により前記第１の領域に含まれる前記被写体が合焦された場合、前記動画像に重畳して前記第１の領域の外枠を所定の回数点滅表示する
ことを特徴とする請求項４に記載の撮像装置。
【請求項１０】
前記撮像範囲内の所定の第２の領域を対象として露出を調整する露出調整手段をさらに備え、
前記位置設定手段は、前記第２の領域の中心が、前記受け付け手段により受け付けられた前記指定に基づいて、前記撮像範囲内の任意の位置に設定した前記第１の領域の中心に位置するように、前記第２の領域の位置をさらに設定する
ことを特徴とする請求項１に記載の撮像装置。
【請求項１１】
被写体を撮像する撮像部を有する撮像装置の撮像方法において、
前記撮像部において撮像された前記被写体の動画像および静止画像の取り込みを制御する取り込み制御ステップと、
ユーザにより入力される、前記撮像部の撮像範囲内における所定の第１の領域の位置に関する指定の受け付けを制御する受け付け制御ステップと、
前記受け付け制御ステップの処理により制御され、受け付けられた前記指定に基づいて、前記第１の領域を、前記撮像範囲内の任意の位置に設定する位置設定ステップと、
前記取り込み制御ステップの制御により前記静止画像が取り込まれる場合と、前記位置設定ステップが前記第１の領域の位置を設定する場合に、前記撮像部の焦点距離を調整し、前記第１の領域に含まれる前記被写体に合焦させる合焦ステップと、
前記取り込み制御ステップの処理により前記静止画像が取り込まれる場合の、前記合焦ステップの処理による前記焦点距離の調整を禁止する禁止ステップと
を含むことを特徴とする撮像方法。
【請求項１２】
撮像部を用いて被写体を撮像する処理をコンピュータに行わせるプログラムであって、
前記撮像部において撮像された前記被写体の動画像および静止画像の取り込みを制御する取り込み制御ステップと、
前記撮像部の焦点距離を調整し、前記撮像部の撮像範囲内における所定の第１の領域に含まれる前記被写体に合焦させる合焦ステップと、
ユーザにより入力される、前記撮像範囲内における前記第１の領域の位置に関する指定の受け付けを制御する受け付け制御ステップと、
前記受け付け制御ステップの処理により制御され、受け付けられた前記指定に基づいて、前記第１の領域を、前記撮像範囲内の任意の位置に設定する位置設定ステップと、
前記合焦ステップの処理による前記焦点距離の調整を禁止する禁止ステップと
を含み、
前記合焦ステップは、前記取り込み制御ステップの制御により前記静止画像が取り込まれる場合と、前記位置設定ステップが前記第１の領域の位置を設定する場合に、前記焦点距離を調整し、前記被写体に合焦させ、
前記禁止ステップは、前記取り込み制御ステップの処理により前記静止画像が取り込まれる場合の、前記合焦ステップの処理による前記焦点距離の調整を禁止する
ことを特徴とするプログラム。
【発明の詳細な説明】
【０００１】
【発明の属する技術分野】
本発明は撮像装置および方法、並びにプログラムに関し、特に、より好適な自動合焦を行うことができるようにした、撮像装置および方法、並びにプログラムに関する。
【０００２】
【従来の技術】
近年、デジタルスチルカメラや撮像機能を有するPDA（Personal Digital Assistants）等に代表される撮像機能を有する小型の電子機器が普及するとともに、これらの撮像機能の高機能化が進んでいる。
【０００３】
例えば、これらの撮像装置は、通常、LCD（Liquid Crystal Display）等のディスプレイを備えており、レンズを介して取り込んだ画像を表示することができ、ユーザは、この表示された画像を見ることによって構図を確認しながら、被写体を撮像することができる。
【０００４】
また、ディスプレイにタッチパネルを重畳することにより、ユーザが、構図を確認するだけでなく、ディスプレイに重畳されたタッチパネルを操作することにより、自動合焦機能（以下、AF（Auto Focus）と称する）や、自動露出機能（以下、AE（Auto Exposure）と称する）等を調整することができる撮像装置も存在する。
【０００５】
例えば、ユーザが、デジタルスチルカメラに設けられたディスプレイに表示されている取り込み画像の被写体をそのディスプレイ上で指示すると、デジタルスチルカメラは、ディスプレイに重畳されているタッチパネルによってその位置を検出し、ユーザが指示した位置の被写体に焦点を合わせる（例えば、特許文献１参照）。
【０００６】
【特許文献１】
特開平１１−３５５６１７号公報（第５−７ページ、図５−７）
【０００７】
【発明が解決しようとする課題】
しかしながら、以上のような方法においては、ユーザがキャプチャボタンを操作し、静止画像をキャプチャする際にも、AF処理が行われ、被写体に焦点を合わせてしまう。
【０００８】
従って、予め焦点位置を固定した状態で静止画像を取り込む方法である、いわゆる「置きピン」の撮影を行う場合、ユーザは、フォーカスのモードをマニュアルフォーカスモードにして、予め測定した焦点距離に設定するか、若しくは、キャプチャボタンを、いわゆる「半押し」操作してAF処理のみを実行させ、その「半押し」の状態で、撮影タイミングまで待機しなければならず、煩雑な作業を必要とするという課題があった。
【０００９】
特に、撮像機能を有するPDA等においては、ディスプレイにソフトウェアのキャプチャボタンが表示されている場合があり、そのようなソフトウェアのキャプチャボタンにはいわゆる「全押し」操作しか用意されていない場合が多く、ユーザがソフトウェアのキャプチャボタンを操作して、いわゆる「置きピン」の撮影を行うのは難しい。
【００１０】
本発明はこのような状況に鑑みてなされたものであり、より好適な自動合焦を行うことができるようにしたものである。
【００１１】
【課題を解決するための手段】
本発明の撮像装置は、被写体を撮像し、被写体の動画像および静止画像を取り込む撮像手段と、焦点距離を調整し、撮像手段による撮像範囲内の所定の第１の領域に含まれる被写体に合焦させる合焦手段と、ユーザにより入力される、撮像範囲内における第１の領域の位置の指定を受け付ける受け付け手段と、受け付け手段により受け付けられた指定に基づいて、第１の領域を、撮像範囲内の任意の位置に設定する位置設定手段と、合焦手段による焦点距離の調整を禁止する禁止手段とを備え、合焦手段は、撮像手段が静止画像を取り込む場合と、位置設定手段が第１の領域の位置を設定する場合に、焦点距離を調整し、被写体に合焦させ、禁止手段は、撮像手段が静止画像を取り込む場合の、合焦手段による焦点距離の調整を禁止することを特徴とする。
【００１２】
前記位置設定手段は、受け付け手段により指定が受け付けられていない場合、第１の領域の中心が撮像範囲の中心に位置するように、第１の領域の位置を設定するようにすることができる。
【００１３】
前記位置設定手段は、受け付け手段により指定が受け付けられた場合、第１の領域の中心が、ユーザが指定した座標に位置するように、第１の領域の位置を設定するようにすることができる。
【００１４】
前記撮像手段により被写体を撮像して得られた動画像を表示する表示手段をさらに備え、受け付け手段は、表示手段に重畳されたタッチパネルにより構成され、ユーザが表示手段により表示されている動画像を確認しながら第１の方法で入力した座標を検出し、指定として受け付けるようにすることができる。
【００１５】
前記第１の方法は、ユーザがタッチパネルを１回タップする方法であるようにすることができる。
【００１６】
前記第１の領域の設定を初期化して、受け付け手段により指定が受け付けられた状態の設定から、指定が受け付けられていない状態の設定に戻す初期化手段をさらに備え、受け付け手段は、ユーザが第２の方法で入力した、第１の領域の設定の初期化の指示をさらに受け付け、初期化手段は、受け付け手段により受け付けられた指示に基づいて、第１の領域の設定を初期化するようにすることができる。
【００１７】
前記第２の方法は、ユーザがタッチパネルを所定の時間内に２回タップする方法であるようにすることができる。
【００１８】
前記第２の方法は、ユーザが所定の時間以上接触するようにタッチパネルをタップする方法であるようにすることができる。
【００１９】
前記表示手段は、合焦手段により第１の領域に含まれる被写体に合焦した場合、動画像に重畳して第１の領域の外枠を所定の回数点滅表示するようにすることができる。
【００２０】
前記撮像範囲内の所定の第２の領域を対象として露出を調整する露出調整手段をさらに備え、位置設定手段は、第２の領域の中心が、受け付け手段により受け付けられた指定に基づいて、撮像範囲内の任意の位置に設定した第１の領域の中心に位置するように、第２の領域の位置をさらに設定するようにすることができる。
【００２１】
本発明の撮像方法は、撮像部において撮像された被写体の動画像および静止画像の取り込みを制御する取り込み制御ステップと、ユーザにより入力される、撮像部の撮像範囲内における所定の第１の領域の位置に関する指定の受け付けを制御する受け付け制御ステップと、受け付け制御ステップの処理により制御され、受け付けられた指定に基づいて、第１の領域を、撮像範囲内の任意の位置に設定する位置設定ステップと、取り込み制御ステップの制御により静止画像が取り込まれる場合と、位置設定ステップが第１の領域の位置を設定する場合に、撮像部の焦点距離を調整し、第１の領域に含まれる被写体に合焦させる合焦ステップと、取り込み制御ステップの処理により静止画像が取り込まれる場合の、合焦ステップの処理による焦点距離の調整を禁止する禁止ステップとを含むことを特徴とする。
【００２２】
本発明のプログラムは、撮像部において撮像された被写体の動画像および静止画像の取り込みを制御する取り込み制御ステップと、撮像部の焦点距離を調整し、撮像部の撮像範囲内における所定の第１の領域に含まれる被写体に合焦させる合焦ステップと、ユーザにより入力される、撮像範囲内における第１の領域の位置に関する指定の受け付けを制御する受け付け制御ステップと、受け付け制御ステップの処理により制御され、受け付けられた指定に基づいて、第１の領域を、撮像範囲内の任意の位置に設定する位置設定ステップと、合焦ステップの処理による焦点距離の調整を禁止する禁止ステップとをコンピュータに実現させ、合焦ステップは、取り込み制御ステップの制御により静止画像が取り込まれる場合と、位置設定ステップが第１の領域の位置を設定する場合に、焦点距離を調整し、被写体に合焦させ、禁止ステップは、取り込み制御ステップの処理により静止画像が取り込まれる場合の、合焦ステップの処理による焦点距離の調整を禁止することを特徴とする。
【００２３】
本発明の撮像装置および方法、並びにプログラムにおいては、被写体が撮像され、被写体の動画像および静止画像が取り込まれ、焦点距離が調整され、撮像範囲内の所定の第１の領域に含まれる被写体が合焦され、ユーザにより入力される、撮像範囲内における第１の領域の位置の指定が受け付けられ、その指定に基づいて、第１の領域が、撮像範囲内の任意の位置に設定され、焦点距離の調整が禁止され、静止画像が取り込まれる場合と、第１の領域の位置が設定される場合に、焦点距離が調整されて被写体が合焦され、静止画像が取り込まれる場合の焦点距離の調整が禁止される。
【００２４】
【発明の実施の形態】
図１は、本発明を適用したPDAの正面の構成例を表す図である。
【００２５】
図１に示されるように、PDA１は、中央のヒンジ部１２を境に、表示部１１と本体部１３とに分けられており、ヒンジ部１２を介して折り畳み可能に形成されている。
【００２６】
換言すると、表示部１１は、後述する図３に示されるように、軸１２−１（仮想的なもの）を中心として回動して本体部１３に対して開閉自在とされている。さらに、表示部１１は、軸１２−１に対して略垂直な軸１１−６（仮想的なもの）を中心として本体部１３に対して回動自在とされている。即ち、表示部１１は、ヒンジ部１２と対向する面１１−３（LCD２８が設けられている面１１−１と垂直な図３中下方の面）と平行に、回動されるようになされている。
【００２７】
図１に戻り、表示部１１の面１１−１のほぼ全面には、LCD（Liquid Crystal Display）２８、および、LCD２８の表面上に積層された透明な感圧式のタッチパネル３６が設けられている。即ち、タッチペン３５が、LCD２８上の任意の位置に配置されると、その座標がタッチパネル３６により検出され、検出された座標に対応する所定の処理が行われる。
【００２８】
また、タッチパネル３６の所定の領域（LCD２８の図中下方の領域）には、文字を入力するための文字入力エリア２９が設けられており、文字入力エリア２９には、種々のソフトボタンや文字入力エリア等が表示される。ユーザが、タッチペン３５を操作して、その文字入力エリア上にそれらの特殊文字を書くと、その特殊文字が入力される。即ち、タッチペン３５が移動した軌跡がタッチパネル３６により検知され、その軌跡に対応する文字が入力される。
【００２９】
さらに、ユーザが、タッチペン３５を操作してソフトボタン４３を押下すると、文字入力エリア２９には、キーボードのキー配列を表示したGUI（Graphical User Interface）であるソフトキーボードが表示される。ユーザが、タッチペン３５を操作して、ソフトキーボード上の任意のキーを押下すると、その押下されたキーに対応する文字（または記号等）が入力される。即ち、タッチペン３５が配置されている座標がタッチパネル３６により検知され、その座標に対応するキーが認識され、認識されたキーに割り当てられている文字（または記号等）が入力される。
【００３０】
このように、ユーザは、タッチペン３５、および、ソフトウエアとしての文字入力エリア２９を利用して、容易、かつ迅速に文字を入力することができる。なお、LCD２８の表示面上全体に渡ってタッチパネル３６が積層されているので、文字入力エリア２９のLCD２８に対する位置は、図１に示される位置に限定されず、例えば、後述するように、表示された画像の上下左右が反転されると、文字入力エリア２９は、図１中上方に配置され、上下逆に表示される。このような場合においても、ユーザは、上述した例と同様に、文字を入力することができる。
【００３１】
ヒンジ部１２には、図中右方に、PDA１の電源をオンまたはオフ状態にする電源ボタン３１が、その左隣に、PDA１に内蔵されているバッテリ（図示せず）が充電中の場合には点灯し、充電が終了すると消灯するLED（Light Emitting Diode）３０が、さらにその左隣に、CCD（Charge Coupled Device）よりなるカメラ部２２が、左端には、カメラ部２２で被写体を撮像するとき操作されるメカキャプチャボタン２３が、それぞれ設けられている。カメラ部２２は、ヒンジ部１２の、表示部１１とともに本体部１３に対して回動する部分に固定されており、後述するように、ユーザは、表示部１１を本体部１３に対して開閉させることにより、カメラ部２２を回動させることができる。
【００３２】
即ち、ユーザは、被写体を撮像する場合、メカキャプチャボタン２３を１回押下して、カメラ機能（被写体をカメラ部２２により撮像し、その撮像された被写体の画像を記録する機能）を有するアプリケーションソフトウェアを起動させ、カメラ部２２の撮像方向を被写体に向けるように表示部１１を回動させる。このとき、LCD２８には、後述するように、カメラ部２２が撮像している画像（被写体の画像）が表示されるので、ユーザは、LCD２８を確認しながらカメラ部２２の位置を確定し、さらに、各種の設定処理を行った後、シャッタボタンとして動作するメカキャプチャボタン２３を再度押下する。これにより、メカキャプチャボタン２３が押下された時点のカメラ部２２により撮像された画像が、PDA１のメモリ（後述する図８のRAM１３３等）に記憶される。
【００３３】
なお、メカキャプチャボタン２３には、押下の方法として、ストロークの最後まで押下する「全押し」と、ストロークの途中である所定の位置まで押下する「半押し」とがある。例えば、ユーザがメカキャプチャボタン２３を「半押し」すると、PDA１はカメラ部２２において撮影される画像のAF処理やAE処理等を行い、その状態から、ユーザがメカキャプチャボタン２３を「全押し」すると、PDA１はカメラ部２２より取り込まれた画像をキャプチャする。このように、メカキャプチャボタン２３は、押下の方法（深さ）によって、対応する処理を変えるようにすることができる。
【００３４】
なお、ユーザがメカキャプチャボタン２３を押下していない状態から「全押し」した場合は、PDA１は「半押し」に対応する処理を行った後、「全押し」に対応する処理を実行する。即ち、上述したような場合、ユーザが「全押し」すると、PDA１はカメラ部２２において撮影される画像のAF処理やAE処理等を行った後、カメラ部２２より取り込まれた画像をキャプチャする。
【００３５】
本体部１３の折り畳んだとき表示部１１に対向する面１３−１には、図中上方に、PDA１にインストールされているアプリケーションソフトウェアのそれぞれを表すシンボルが印刷されたボタン３２が設けられており、ユーザがその指でボタン３２を押下すると、それに対応するアプリケーションソフトウェアが起動される。
【００３６】
また、面１３−１のボタン３２が配置されている領域の中央部には、LCD２８に表示されている画像をスクロールするためのスクロールボタン３３が設けられている。さらに、面１３−１のボタン３２の下方には、文字（記号等を含む）を入力するためのキーボード３４が設けられている。
【００３７】
本体部１３の面１３−１と垂直な面（側面）１３−２の、図中上方には、リモートコントローラ、または、外部のヘッドホンと接続し、接続したそれらに音声を出力するためのヘッドホンジャック２４が設けられており、その下方には、押下および回転自在なジョグダイヤル２５が面１３−２から僅かに突出した状態で設けられており、その下方には、直前の操作を取り消したりするためのバックボタン２６が設けられており、さらにその下方には、誤って他のボタンが押下された場合、それに対応する機能の実行を禁止するためのホールドスイッチ２７が設けられている。
【００３８】
本体部１３の面１３−１に垂直な面（図中下側の端面）１３−４の、中央部には、付属機器を接続するためのコネクタ６７が設けられている。
【００３９】
図２は、PDA１の裏面の構成例を表している。図２に示されるように、ヒンジ部１２の図中左側上部には、抜き差し自在な所定のメモリカードや機能拡張モジュールが装着されるスロット６４、メモリカード内のデータが読み書きされている場合に点灯するランプ６３、および、赤外線で他の装置と通信するための赤外線ポート６２が設けられている。
【００４０】
メモリカードは、例えば、小型薄型形状のプラスチックケース内に電気的に書き換えや消去が可能な不揮発性メモリであるEEPROM(Electrically Erasable andProgrammable Read Only Memory)の一種であるフラッシュメモリ素子を格納したものであり、画像や音声、音楽等の各種情報（データ）の書き込みおよび読み出しが可能となっている。
【００４１】
またメモリカードは、大容量化等による内蔵フラッシュメモリの仕様変更に対しても、使用する機器で互換性を確保することができる独自のシリアルプロトコルを採用し、最大書込速度1.5[MB/S] 、最大読出速度2.45[MB/S]の高速性能を実現していると共に、誤消去防止スイッチを設けて高い信頼性を確保しているようにしてもよい。
【００４２】
従って、PDA１は、このようなメモリカードを挿着することができるために、メモリカードを介して他の装置との間でデータの共有化を図ることができる。
【００４３】
本体部１３の面１３−１の反対側の面１３−３の中央部の図中左側には、PDA１をリセットするためのリセットボタン６５が設けられており、その下方には、音声を出力するためのスピーカ６６が設けられている。
【００４４】
本体部１３の面１３−１，１３−３に垂直な面（図中下側の端面）１３−４の、中央部には、上述したように、コネクタ６７が設けられており、その図中左方には、タッチペン３５を収納する収納口６８が設けられている。
【００４５】
次に、表示部１１の開閉および回動の操作について、図面を参照して、以下、詳しく説明する。
【００４６】
図３に示されるように、ユーザは、表示部１１を、軸１１−６を中心として回動させることができる。さらに、図４に示されるように、ユーザは、表示部１１を、軸１１−６を中心として略１８０度回動させた後、軸１２−１を中心として回動させ、図５に示されるように、本体部１３に対して閉じることができる。即ち、ユーザは、図１に示される状態のみならず、図５に示されるような状態で、PDA１を利用することができる。
【００４７】
例えば、いま、LCD２８には、図３に示されるような文字「F」が表示されているものとする。即ち、文字「F」の上方向は、表示部の面１１−４側（図３中上方向）に表示されているものとする。
【００４８】
このとき、PDA１は、表示部１１が所定の基準位置から回動された場合、表示部１１の軸１１−６を中心とする回動角度を検出し、その回動角度が、表示部１１が回動可能な範囲（この例では、図１に示されるように表示部１１が配置された場合の回動角度が０度とされると、０度以上１８０度以下の範囲）のうちの所定の範囲（この例では、０度以上１８０度未満）に含まれる場合、画像（文字「F」）の上方向を面１１−４側とするように、文字「F」をLCD２８に表示させる。
【００４９】
一方、PDA１は、その回動角度が、その範囲から外れると（この例では、１８０度になると）、文字「F」の上方向を、面（端面）１１−４の反対側の面（端面）１１−３側とするように、文字「F」をLCD２８に表示させる。換言すると、PDA１は、表示部１１の回動角度が所定の範囲から外れた場合、回動角度がその範囲に含まれる場合の画像（例えば、上方向が面１１−４側となる文字「F」）に対して、上下左右を反転させた画像（例えば、上方向が面１１−３と反対側の面１１−３側となる文字「F」）を、LCD２８に表示させる。
【００５０】
具体的には、図３に示される状態の場合、表示部１１の回動角度は１８０度未満であるので（上述した所定の範囲に含まれるので）、文字「F」は、その上方向が面１１−４側（図３中上方向）とされるようにLCD２８に表示される。
【００５１】
一方、図４と図５に示される状態の場合、表示部１１の回動角度は１８０度であるので（上述した所定の範囲から外れるので）、文字「F」は、その上方向が面１１−４の反対側の面１１−３側（図４中下方向）とされるようにLCD２８に表示される。
【００５２】
このように、PDA１は、その表示部１１の回動および開閉状態によらず、ユーザにとって自然な方向に画像を表示させることが可能になる。
【００５３】
さらに、ユーザは、PDA１が図４に示される状態のみならず、図１に示される状態の場合も、表示部１１を、軸１２−１を中心として回動させ、本体部１３に対して閉じることができる。即ち、ユーザは、図示は省略するが、PDA１を持ち運びする場合等に、PDA１を図５に示されるようなLCD２８が外側に露出した状態にしないことで、PDA１（特にLCD２８）を保護することができる。
【００５４】
また、以上のように表示部１１を回動させることにより、ユーザは、カメラ部２２の向き、即ち、撮影方向を変更することができる。
【００５５】
例えば、図６に示されるように、PDA１のユーザと反対側に位置する他人１０１を被写体とする場合（PDA１から見てユーザと反対の方向を撮影する場合）、ユーザは、PDA１を図５に示される状態（表示部１１を本体部１３に対して閉じた状態）にすることにより、LCD２８をユーザに向けたまま、カメラ部２２の撮影方向をPDA１のユーザと反対側（即ち、被写体である他人１０１の方向に）に向けることができる。これにより、ユーザは、PDA１のLCD２８に表示されたカメラ部２２より取り込まれた取り込み画像を確認しながら、PDA１の反対側に位置する被写体である他人１０１を撮像することができる。
【００５６】
一方、図７に示されるように、PDA１のユーザ１０２が自分自身を被写体とする場合（PDA１から見てユーザ１０２の方向を撮影する場合）、ユーザ１０２は、PDA１を図１に示される状態（表示部１１を本体部１３に対して開いた状態）にすることにより、LCD２８をユーザ１０２に向けたまま、カメラ部２２の撮影方向もユーザ１０２の方向（即ち、被写体である自分自身の方向に）に向けることができる。これにより、ユーザ１０２は、PDA１のLCD２８に表示されたカメラ部２２より取り込まれた取り込み画像を確認しながら、PDA１の同じ側に位置する被写体である自分自身を撮像することができる。
【００５７】
以上のようにして、ユーザは、PDA１に対するカメラ部２２の方向、即ち、撮影方向を設定することができ、常に、LCD２８に表示された取り込み画像を確認し、タッチパネル３６を用いて調整作業を行いながら、撮影作業を行うことができる。
【００５８】
図８は、PDA１の内部の構成例を示すブロック図である。
【００５９】
CPU（Central Processing Unit）１３１は、ROM（Read Only Memory）１３２に記憶されているプログラム、または記憶部１３９からRAM（Random Access Memory）１３３にロードされたプログラムに従って各種の処理を実行する。
【００６０】
RAM１３３にはまた、CPU１３１が各種の処理を実行する上において必要なデータなども適宜記憶される。
【００６１】
CPU１３１、ROM１３２、およびRAM１３３は、バス１３４を介して相互に接続されている。このバス１３４にはまた、LCD２８に表示させる画像を制御する表示制御部１３６が接続されている。
【００６２】
表示制御部１３６には、CPU１３１の制御に基づいて、上述したカメラ部２２、および、LCD２８の他、VRAM１３８が接続されている。表示制御部１３６は、カメラ部２２により撮像された画像を、VRAM１３８に記憶させ、そのVRAM１３８に記憶されている画像や、他のメモリ（RAM１３３、記憶部１３９、スロット６４に接続されたメモリカード１４３）に記憶されている画像を、LCD２８に表示させる。
【００６３】
バス１３４にはさらにまた、入出力インタフェース１３５も接続されている。
【００６４】
入出力インタフェース１３５には、上述したキーボード３４、各種ボタン２２，３２，３３、および、ジョグダイヤル２５等からなる入力部１３７、タッチパネル３６、赤外線通信ポート６２、メモリカード１４３若しくは機能拡張モジュール１２１が装着されるスロット６４、PDA１が内蔵するバッテリ（図示せず）を充電させるとともに、他の外部装置１５２との通信の中継装置となるクレードル９１等が接続されるコネクタ６７、並びに、リモートコントローラ１０１若しくはヘッドホン１５３と接続される音声出力部としてのヘッドホンジャック２４が接続されている。
【００６５】
なお、タッチパネル３６により検出された座標は、入出力インタフェース１３５、バス１３４を介してCPU１３１に提供され、CPU１３１は、提供されたその座標に対応する所定の情報を取得する。
【００６６】
例えば、後述するように、撮影時に、ユーザが、LCD２８に表示された取り込み画像上の任意の位置をタップすると、タッチパネル３６は、そのユーザがタップした位置の座標を検出し、その座標情報を入出力インタフェース１３５、バス１３４を介してCPU１３１に提供する。CPU１３１は、その提供された座標情報より、取り込み画像上の位置であることを確認すると、その位置に所定のサイズのAF枠を移動させるなど、各部を制御して対応する処理を実行する。
【００６７】
入出力インタフェース１３５にはまた、必要に応じて、EEPROMまたはハードディスクなどより構成される記憶部１３９が接続される。外部装置１５２に適宜装着される磁気ディスク、光ディスク、光磁気ディスク、或いは半導体メモリなどから読み出されたコンピュータプログラムは、赤外線ポート６２を介する無線通信、無線LANモジュール（機能拡張モジュール）１２１を介する無線通信、または、クレードル９１を介する有線通信等の手段により、必要に応じてPDA１に対して供給され、記憶部１３９にインストールされる。または、スロット６４に適宜装着されるメモリカード１４３から読み出されたコンピュータプログラムも、必要に応じて記憶部１３９にインストールされる。
【００６８】
入出力インタフェース１３５にはさらにまた、表示部１１が本体部１３に対して閉状態の場合、オン状態となり、かつ、表示部１１が本体部１３に対して開状態の場合、オフ状態となるLCD開閉スイッチ１４４、および、表示部１１が所定の回動角度以上回動された場合にオン状態となるLCD回転スイッチ１４５が設けられている。
【００６９】
即ち、この例においては、CPU１３１は、LCD開閉スイッチ１４４と、LCD回転スイッチ１４５の、それぞれのオン状態またはオフ状態に基づいて、表示部１１の本体部１３に対する開閉の状態（以下、LCD開閉状態と称する）、および回動状態を認識する。
【００７０】
カメラ部２２は、図９に示されるように構成される。図示せぬ被写体からの光はレンズ部２０１を介して、前面にイエロー（Ye）、シアン（Cy）、マゼンタ（Mg）、およびグリーン（G）のカラーフィルタがモザイク状に配列された補色系フィルタが装着された、CCD(Charge Coupled Device)等を用いた撮像素子により構成されるCCD２０２に入射され、光電変換される。
【００７１】
CCD２０２は、受光部において光電変換した映像信号を出力し、AGC（Automatic Gain Control）回路２０３に供給する。AGC回路２０３は、映像信号のゲインを調整し、そのゲインが調整された映像信号をCDS回路（Correlated Double Sampling circuit）２０４に供給する。CDS回路２０４は、入力された映像信号に相関二重サンプリングを施してノイズを除去した後、A/D（Analog / Digital）変換回路２０５に供給する。
【００７２】
A/D変換回路２０５は、入力されたアナログ信号を所定のサンプリング周波数でデジタル信号に変換し、取り込まれた画像データを処理するDSP（Digital Signal Processor）２０６に供給する。
【００７３】
DSP２０６は、EEPROM(Electrically Erasable and Programmable Read only Memory)２０７にインストールされたプログラムやデータを用いて、内蔵するSDRAM（Synchronous Dynamic Random Access Memory）等の半導体メモリにより構成される内蔵RAM２０６Ａを用いて、供給された映像信号を保持して所定のフォーマットの画像データを生成し、さらに、生成された画像データに、画質調整や、圧縮処理等の各種のデジタル処理を施す。そして、DSP２０６は、生成された画像データを図８の表示制御部１３６に供給する。
【００７４】
また、DSP２０６は、画像データのデジタル処理の際に、レンズ部２０１乃至A/D変換回路２０５を制御するための情報をカメラ制御部２１０に供給する。
【００７５】
カメラ制御部２１０は、DSP２０６より供給された情報、および図８のCPU１３１より供給された制御情報に基づいて、レンズ部駆動回路２１１を介してレンズ部２０１のレンズ位置、絞り、またはメカシャッタを制御したり、CCD駆動回路２１２を介して、CCD２０２の電気的動作を制御したりするとともに、AGC回路２０３、CDS回路２０４、およびA/D変換回路２０５の動作タイミング等を制御する。
【００７６】
レンズ部駆動回路２１１は、モータ等により構成され、カメラ制御部２１０より供給された制御信号に基づいて、レンズ部２０１のレンズ位置を移動させて焦点位置を調整したり、絞りやメカシャッタの開閉を調整して露光量を調整したりする。CCD駆動回路２１２は、カメラ制御部２１０より供給されたタイミング信号等に基づいて、CCD２０２を駆動させる信号を生成し、画像の取り込みタイミング等を調整する。
【００７７】
例えば、カメラ制御部２１０は、CPU１３１より供給された制御信号に基づいてTTL(Through The Lens)コントラスト検出方式によるオートフォーカス処理を行う。CPU１３１よりAF領域を指定されると、カメラ制御部２１０は、DSP２０６より供給される取り込み画像の信号より、撮影画枠内の、指定されたAF領域のコントラストを検出し、レンズ部駆動回路２１１を介して、レンズ２０１のレンズを移動させ、その領域に存在する被写体に焦点が合うように（コントラストが最も高くなるように）、レンズ位置を調整する。
【００７８】
ユーザがカメラアプリケーションを起動すると、カメラアプリケーションを実行したCPU１３１により各部が制御され、カメラ部２２を用いた静止画撮像を行うための静止画撮影モードに移行する。その際、CPU１３１は、LCD２８に図１０に示されるようなGUIを表示させる。
【００７９】
図１０において、メイン画面２２０は、静止画撮影モード時の各種の操作を受け付けるためのGUIであり、取り込み画像やキャプチャされた撮影画像を表示するEVFエリア２２１、動画像撮影モード用アプリケーションを起動する動画像撮影用アプリケーション呼び出しボタン２２２、各種のアイコンを表示するアイコンエリア２２３、各種の設定を行うためのGUIである設定画面を表示させる設定画面呼び出しボタン２２４、撮影される画像のサイズや画質に関するGUIを表示させるサイズ・画質切り替えボタン２２５、撮影される画像の露光量を調整するEV（Exposure Value）補正スライダ２２６、CCD２０２より静止画像をキャプチャするソフトキャプチャボタン２２７、撮像して得られた画像データの保存先フォルダを選択するアルバムカテゴリ選択欄２２８、設定画面において設定された機能を実行するカスタムボタン２２９、フラッシュのモードを切り替えるフラッシュモード切り替えボタン２３０、撮影された画像のズームを調整するズームボタン２３１、撮像して得られた画像データのサムネイル画像を表示する簡易ビューエリア２３２乃至２３４、EVFエリア２２１に表示されている撮影画像の表示を９０度ずつ回転させる回転ボタン２３５、撮像して得られた画像データを削除する削除ボタン２３６、並びに、画像データのタイトル等、各種の文字データを表示するタイトルバーエリア２３７により構成されている。
【００８０】
図１１は、図１０のEVFエリア２２１の詳細な表示例を示す図である。図１１に示されるように、EVFエリア２２１には取り込み画像に重畳して、各種の情報を表示するアイコン群が表示される。フラッシュモードアイコン２５１は、必要に応じて、現在設定されているフラッシュのモードを表示し、手ブレ警告アイコン２５２は、撮影時に手ブレが発生した場合、点灯して警告し、バッテリアイコン２５３は、バッテリの残容量が少なくなり、充電が必要である場合、点灯して通知し、AF・AEロックインジケータ２５４は、点灯したり点滅したりすることで、AFやAEの状態を表示し、撮影不可通知アイコン２５５は、撮影画像データを記録するメモリの空き容量が足りない場合等に点灯し、新たな画像のキャプチャが行えないことを通知し、撮影状況モードアイコン２５６は、夜景モード、屋内モード、遠景モード、または接写モード等のような、状況に応じた撮影処理に関するモードの、現在設定されているモードに応じて点灯し、シャッタスピードアイコン２５７は、マニュアル設定時に点灯し、現在設定されているシャッタスピードを表示する。
【００８１】
また、EVFエリア２２１には、その他にも、焦点距離を手動で設定する際に表示されるマニュアルフォーカス用ゲージ２５８、現在の焦点距離を示すポインタであるマニュアルフォーカス用ゲージポインタ２５９が、マニュアルフォーカス時に表示される。
【００８２】
さらに、EVFエリア２２１には、スポット測光時に測光される領域の中心を示すスポット測光用ポインタ２６０、および、AF領域の範囲を示すAF枠２６１が表示される。撮影を行うユーザは、AFのモードによって、このEVFエリア２２１上をタップすることにより、AF枠２６１やスポット測光用ポインタ２６０の位置を移動させることができる。
【００８３】
なお、これらのアイコンは、ユーザが設定を行うことにより、表示・非表示を切り替えることができる。
【００８４】
以上のようなPDA１において、フォーカスのモードは後述するように３つ用意されており、ユーザは、図１０のメイン画面２２０において、設定画面呼び出しボタン２２４を操作して（LCD２８の設定画面呼び出しボタン２２４上をタップする等して）、図１２に示されるような設定画面を呼び出して、複数用意されたこのフォーカスモードの切り替えを行う。
【００８５】
図１２は、LCD２８に表示される設定画面３０１の構成例を示す図である。図１２において、設定画面３０１は、各種の設定項目およびそれらの現在の状態を示す設定一覧表示エリア３０２、設定一覧表示エリア３０２に一度に表示できない項目を表示するために、設定一覧表示エリア３０２の表示内容をスクロールするスクロールバー３０３、設定一覧表示エリア３０２に表示されている項目を図中下側の方向にスクロールさせる下スクロールボタン３０４、設定一覧表示エリア３０２に表示されている項目を図中上側の方向にスクロールさせる上スクロールボタン３０５、LCD２８に表示されている画面をメイン画面２２０に戻す、戻るボタン３０６、設定画面３０１において、設定が反映された取り込み画像を表示し、ユーザがその効果を確認するためのEVFエリア３１１により構成されている。
【００８６】
設定一覧表示エリア３０２には、例えば、撮影モード、ホワイトバランス、サイズ・クオリティ、スポット測光、記録先、セルフタイマー、およびフォーカスモード等の撮影に関する様々な項目が表示される。ユーザは、スクロールバー３０３、下スクロールボタン３０４、若しくは上スクロールボタン３０５を操作したり、または、ジョグダイヤル２５を回転させたりするなどして、設定したい項目を設定一覧表示エリア３０２に表示させる。そして、項目が表示されている部分をタップするか、ジョグダイヤル２５を回転させる等して、設定したい項目にアンカーを移動させる。
【００８７】
そして、ユーザは、アンカーが位置する項目の右側の設定内容が表示されている部分をタップするか、ジョグダイヤル２５を押下するなどして、アンカーが位置する項目の変更を指示する。例えば、図１２において、アンカーは、フォーカスモードに位置しており、この状態で、「常時AF」と表示されている部分をタップするか、ジョグダイヤル２５を押下すると、ユーザは、フォーカスモードの設定を変更することができる。
【００８８】
ユーザが、図１２に示されるように、アンカーをフォーカスモードに位置させて指定すると、LCD２８には、図１２に示される設定画面３０１に重畳して、図１３に示されるような、設定内容選択画面が表示される。
【００８９】
図１３において、設定画面３０１の設定一覧表示エリア３０２の、ユーザが選択した項目フォーカスモード以外の項目は、暗く表示される。ユーザが選択した項目３２１の右側には、対応する設定の一覧が表示された設定内容選択画面３２２が表示される。図１３において、設定内容選択画面３２２には、フォーカスモードに対応する設定として、「マニュアルフォーカス」、「常時AF」、および「ワンショットAF」の３つのモードが表示されており、現在設定されているモード（図１３の場合、「常時AF」）には、マークが表示されている。また、設定内容選択画面３２２において、現在選択されているモード（図１３の場合、「ワンショットAF」）には、アンカーが表示されている。
【００９０】
ユーザは、図１３に示される設定内容選択画面３２２に表示されている一覧の中から、選択するモードの部分をタップしたり、ジョグダイヤル２５を回転させてアンカーを移動させ、押下することで選択するモードを指示したりして、モードの設定を行う。
【００９１】
次に、フォーカスの「マニュアルフォーカスモード」、「常時AFモード」、および「ワンショットAFモード」の各モードについて説明する。
【００９２】
マニュアルフォーカスモードはユーザが焦点距離を手動で設定するモードである。このとき、図１１に示されるように、EVFエリア２２１には、マニュアルフォーカス用ゲージ２５８およびマニュアルフォーカス用ゲージポインタ２５９が表示される。ユーザは、マニュアルフォーカス用ゲージ２５８に従って、目的の距離の部分を１回タップするか、ジョグダイヤル２５を回転させることによって、マニュアルフォーカス用ゲージポインタ２５９を、マニュアルフォーカス用ゲージ２５８上の所望の位置に移動させて、焦点距離を設定する。
【００９３】
図９のカメラ制御部２１０は、図８のCPU１３１より供給された制御信号に基づいて、ユーザが指定した焦点距離に合焦するように、レンズ部駆動回路２１１を介してレンズ部２０１のレンズ位置を制御する。
【００９４】
なお、マニュアルフォーカス用ゲージポインタ２５９を初期値（ユーザがマニュアルフォーカス用ゲージポインタ２５９を移動させる前の最初の位置）に戻したい場合、ユーザは、LCD２８を、所定の短い時間の間に２回連続でタップ（以下、ダブルタップと称する）する。CPU１３１は、タッチパネル３６よりユーザがダブルタップしたことを示す情報を取得すると、表示制御部１３６を制御して、LCD２８に表示されているマニュアルフォーカス用ゲージポインタ２５９を初期値に戻す。
【００９５】
常時AFモードは、AF領域内の被写体に対して、カメラ部２２がTTLコントラスト検出方式によりAF処理を行うモードである。常時AFモードにおいては、AF領域の位置は、撮影画枠内においてユーザにより任意に決定される。また、AF処理は、ユーザがAF領域を移動させた時、ユーザがメイン画面２２０のソフトキャプチャボタン２２７上をタップした時、または、ユーザが図１のメカキャプチャボタン２３を「半押し」した時に実行される。さらに常時AFモードにおいては、図１４Ａに示されるように、EVFエリア２２１には、AF領域の範囲を示すAF枠２６１が表示される。
【００９６】
初期状態（ユーザがAF領域の位置を移動させていない状態）において、AF枠２６１の中心は、EVFエリア２２１の中央に配置される。このとき、AF枠２６１に示されるAF領域は、撮影画枠の中心からずれた被写体が、AF領域から外れてしまう、いわゆる「中抜け」を抑制するために、例えば、図１４Ａに示されるように、EVFエリア２２１の大きさが３２０ドット×２４０ドットであるのに対して、１０８ドット×６０ドットと比較的広く設定されている。
【００９７】
このとき、ユーザが図１０のソフトキャプチャボタン２２７を操作したり、メカキャプチャボタン２３を押下（全押し）したりすると、カメラ制御部２１０は、CPU１３１より供給されたAF枠２６１の位置情報に基づいて、AF枠２６１が囲むAF領域を対象として、TTLコントラスト検出方式によるAF処理等の調整処理を行った後、画像のキャプチャ処理を行う。なお、メカキャプチャボタン２３を半押しした場合は、AF処理等の調整処理のみを行う。これによりユーザは、被写体をEVFエリア２２１の中央付近に位置させるようにPDA１を移動させ、ソフトキャプチャボタン２２７またはメカキャプチャボタン２３を操作するだけで、被写体に焦点の合った画像を得ることができる。
【００９８】
また、このAF枠２６１の位置は、EVFエリア２２１内であれば、ユーザが任意に指定することができる。すなわち、ユーザが、図１４Ｂに示されるように、タッチペン３５等を用いて、EVFエリア２２１上を１回タップすると、CPU１３１は、タッチパネル３６より供給された位置情報に基づいて、ユーザがタップした位置がAF領域の中心となるように、AF枠２６１を移動させる。
【００９９】
この場合、ユーザは、通常、焦点を合わせたい被写体をタップするので、いわゆる「中抜け」の現象が発生する可能性は低い。逆に、不必要にAF領域が広いと、AF領域内のユーザが指定した被写体と異なる被写体に焦点が合う可能性が大きくなってしまう。従って、このように、ユーザがAF枠２６１の位置を指定した場合、AF領域は、図１４Ｂに示されるように、図１４Ａに示される場合（ユーザがAF枠２６１の位置を指定していない場合）のAF領域（１０８ドット×６０ドット）より狭い範囲（３０ドット×３０ドット）に設定される。
【０１００】
このとき、カメラ制御部２１０は、CPU１３１より供給されたAF枠２６１の位置情報に基づいて、AF枠２６１が囲むAF領域を対象として、TTLコントラスト検出方式によるAF処理を行う。合焦すると、CPU１３１は、ユーザに通知するために、図１４Ｃに示されるように、EVFエリア２２１に表示されているAF枠２６１を所定の時間点滅させる。
【０１０１】
そして、ユーザが図１０のソフトキャプチャボタン２２７を操作したり、メカキャプチャボタン２３を押下（全押し）したりすると、カメラ制御部２１０は、CPU１３１より供給されたAF枠２６１の位置情報に基づいて、AF枠２６１が囲む領域を対象として、TTLコントラスト検出方式によるオートフォーカス処理を行った後、画像のキャプチャ処理を行う。なお、メカキャプチャボタン２３を半分押下する「半押し」した場合は、オートフォーカス処理のみを行う。以上のようにして、ユーザは、被写体がEVFエリア２２１のどこに位置していても、その被写体に焦点を合わせた画像を容易に得ることができる。
【０１０２】
AF枠２６１（AF領域）を初期状態（図１４Ａに示される状態）に戻したい場合、ユーザは、EVFエリア２２１上において、ダブルタップを行う。CPU１３１は、タッチパネル３６より供給された、ユーザがダブルタップを行ったことを示す情報に基づいて、表示制御部１３６を制御して、LCD２８に表示されているAF枠２６１を初期状態に戻し、カメラ制御部２１０を制御して、AF処理を実行させる。
【０１０３】
なお、図１４Ｄに示されるように、EVFエリア２２１に縦方向および横方向の複数のグリッド線を設け、AF枠２６１の中心の座標は、それらのグリッド線の交点に位置させるようにしてもよい。図１４Ｄにおいては、EVFエリア２２１には、所定の間隔で、図中縦方向のグリッド線３３１乃至３３８、並びに、図中横方向のグリッド線３４１乃至３４５が設定されている。ユーザが、EVFエリア２２１上を１回タップすると、CPU１３１は、ユーザがタップした位置の位置情報をタッチパネル３６より取得し、最も近い位置のグリッド線の交点を算出し、その交点の座標がAF領域の中心となるようにAF枠２６１を移動させ、カメラ制御部２１０にAF処理を実行させる。
【０１０４】
このようにすることにより、AF枠２６１の位置をある程度限定することが出来るので、ユーザは、より正確に同じ位置にAF枠２６１を移動させることができるようになる。
【０１０５】
図１４Ｄに示される例においては、EVFエリア２２１に、８本の図中縦方向のグリッド線と５本の図中横方向のグリッド線を設けるように説明したが、EVFエリア２２１に設けるグリッド線の本数は何本であってもよい。また、各グリッド線の間隔は、一定であってもよいし、グリッド線毎に異なるようにしてもよい。さらに、各グリッド線は、LCD２８に表示しないようにしてもよい。
【０１０６】
なお、以上において、EVFエリア２２１のサイズは、３２０ドット×２４０ドットであり、初期状態のAF領域（AF枠２６１）のサイズは、１０８ドット×６０ドットであり、ユーザがAF領域（AF枠２６１）の位置を指定した場合のAF領域（AF枠２６１）のサイズは、３０ドット×３０ドットであるように説明したが、これらのサイズは、これに限るものではなく、どのようなサイズであってもよい。
【０１０７】
また、AF領域の範囲を示すAF枠２６１は、通常時、LCD２８に表示されないようにし、AF処理が行われた後の合焦を示す際に、図１４Ｃに示されるように、設定された位置で所定の時間点滅するようにしてもよい。
【０１０８】
さらに、合焦の通知は、図１４Ｃに示されるようなAF枠２６１の点滅によって行われるように説明したが、これに限らず、例えば、図１１のAF・AEロックインジケータ２５４のような別のインジケータによって行われるようにしてもよい。
【０１０９】
ワンショットAFモードは、常時AFモードと同様に、AF領域内の被写体に対して、カメラ部２２がTTLコントラスト検出方式によりAF処理を行うモードである。ワンショットAFモードにおいても、図１４Ａに示されるように、EVFエリア２２１には、AF領域の範囲を示すAF枠２６１が表示され、そのAF領域（AF枠２６１）の位置は、撮影画枠内においてユーザにより任意に決定される。
【０１１０】
ただし、ワンショットAFモードにおいて、AF処理は、ユーザがAF領域を移動させた時にのみ行われ、ユーザがメイン画面２２０のソフトキャプチャボタン２２７上をタップした時、または、ユーザが図１のメカキャプチャボタン２３を「半押し」した時には実行されない。すなわち、ワンショットAFモードにおいては、ユーザがメカキャプチャボタン２３およびソフトキャプチャボタン２２７のいずれを操作しても、キャプチャ処理の指示のみが入力されるだけで、AF等の調整処理の指示は入力されないように、CPU１３１は各部を制御する。
【０１１１】
AF枠２６１のサイズや位置等の構成および動作、またはAF枠２６１の制御方法等は上述した常時AFモードと同様であるので、その説明は省略する。
【０１１２】
従来においては、AF処理後の焦点距離を固定したまま撮影する、いわゆる「置きピン」の撮影をする場合、ユーザは、シャッタボタンを半押ししてAF処理を行った後、その半押しの状態を維持し、撮影タイミングになった時に、その状態からシャッタボタンを全押ししてキャプチャを指示するなど、煩雑な作業が必要であったが、以上のようなワンショットAFモードにすることで、キャプチャ直前のAF処理を省略することができるので、ユーザは、容易に、「置きピン」の撮影を行うことができる。
【０１１３】
次に、上述した常時AFモードにおける撮影に関する処理について、具体的に説明する。
【０１１４】
ユーザがPDA１を操作して、静止画撮影モードを指示すると、PDA１は、静止画撮影モードに移行し、撮像処理を開始する。図１５のフローチャートを参照して、撮像処理を説明する。
【０１１５】
最初に、PDA１のCPU１３１は、カメラ部２２のカメラ制御部２１０を制御して、カメラ部２２を起動し、カメラ部２２の初期化処理を行い、ステップＳ２において、RAM１３３や記憶部１３９等に記憶されているカメラ部２２に関する設定情報を読み込み、読み込んだ設定情報をカメラ部２２のカメラ制御部２１０に供給し、カメラ部２２の設定処理を行う。さらにCPU１３１は、ステップＳ３において、表示制御部１３６を制御して、図１０に示されるメイン画面２２０のような静止画撮影モード用のGUIをLCD２８に表示させる。
【０１１６】
ステップＳ４において、カメラ部２２のDSP２０６は、レンズ部２０１より入射され、CCD２０２において取り込まれた取り込み画像のデータを表示制御部１３６に供給し、表示制御部１３６は、その取り込み画像をLCD２８に表示させる。
【０１１７】
ステップＳ５において、CPU１３１は、タッチパネル３６や入力部１３７の各ボタンを制御して、ユーザより設定に関する新たな入力が行われ、現在の設定が変更されたか否かを判定する。設定が変更されたと判定した場合、CPU１３１は、その新たな設定をRAM１３３や記憶部１３９等に保存し、処理をステップＳ７に進める。
【０１１８】
ステップＳ５において、設定が変更されていないと判定した場合、CPU１３１は、ステップＳ６の処理を省略し、ステップＳ７に処理を進める。
【０１１９】
ステップＳ７において、CPU１３１は、タッチパネル３６や入力部１３７を監視し、ユーザにより静止画像のキャプチャが指示されたか否かを判定する。指示されたと判定した場合、CPU１３１は、カメラ部２２のカメラ制御部２１０に画像のキャプチャを指示し、カメラ制御部２１０は、その指示に基づいて、カメラ部２２の各部を制御して、静止画像をキャプチャする。
【０１２０】
そして、DSP２０６は、キャプチャした画像の画像データを、画像処理を施した後、表示制御部１３６に供給し、表示制御部１３６は、ステップＳ９において、そのキャプチャした画像をGUIのEVFエリア２２１に合成し、LCD２８に表示させる。キャプチャした画像が表示されるとCPU１３１は、処理をステップＳ１０に進める。
【０１２１】
また、ステップＳ７において、キャプチャが指示されていないと判定した場合、CPU１３１は、ステップＳ８およびＳ９の処理を省略し、ステップＳ１０に処理を進める。
【０１２２】
ステップＳ１０において、CPU１３１は、静止画撮影モードを終了するか否かを判定し、終了すると判定した場合、撮像処理を終了する。
【０１２３】
また、静止画撮影モードを終了しないと判定した場合、CPU１３１は、処理をステップＳ４に戻し、それ以降の処理を繰り返す。
【０１２４】
以上のようにして、PDA１は、静止画撮影モードにおいて撮像処理を実行する。
【０１２５】
次に、図１６および図１７のフローチャートを参照して、常時AFモードにおけるAF処理である常時AF処理について説明する。図１４Ａを参照して上述したように、常時AFモードの初期状態（ユーザがAF枠２６１の位置を指定していない状態）において、EVFエリア２２１には、広めのAF領域の範囲を示す第１のサイズのAF枠２６１が、その中心がEVFエリア２２１の中心に位置するように、設けられている。
【０１２６】
CPU１３１は、ステップＳ２１において、タッチパネル３６を制御し、図１４Ｂに示されるように、ユーザによりAF枠２６１の位置が指定されたか否かを判定する。ユーザがLCD２８のEVFエリア２２１上を１回タップすると、タッチパネル３６は、それを検出し、CPU１３１にその位置情報を供給する。
【０１２７】
タッチパネル３６よりタップされた位置の位置情報が供給され、AF枠２６１の位置が指定されたと判定した場合、CPU１３１は、ステップＳ２２に処理を進め、供給された位置情報に基づいて、第１のサイズより小さい第２のサイズのAF枠を指定された位置に配置する。
【０１２８】
そして、CPU１３１は、ステップＳ２３において、AF枠２６１の位置情報をカメラ部２２のカメラ制御部２１０に供給する。カメラ制御部２１０は、その位置情報に基づいて、配置されたAF枠２６１に囲まれたAF領域について、TTLコントラスト検出方式により、フォーカスを調整する。
【０１２９】
そして、フォーカス調整処理により合焦すると、CPU１３１は、処理をステップＳ２４に進め、AF枠の位置、およびフォーカス処理の終了を通知するように、表示制御部１３６を制御して、LCD２８に表示されているAF枠２６１を所定の時間点滅させる。点滅が終了するとCPU１３１は、処理をステップＳ２５に進める。
【０１３０】
ステップＳ２１において、タッチパネル３６より位置情報が供給されておらず、AF枠２６１の位置が指定されていないと判定した場合、CPU１３１は、ステップＳ２２乃至Ｓ２４の処理を省略し、ステップＳ２５に処理を進める。
【０１３１】
ステップＳ２５において、タッチパネル３６を制御し、ユーザによりAF枠２６１の初期化が指示されたか否かを判定する。ユーザがLCD２８のEVFエリア２２１上をダブルタップすると、タッチパネル３６は、それを検出し、CPU１３１にその情報を供給する。
【０１３２】
タッチパネル３６よりダブルタップの情報が供給され、AF枠２６１の初期化が指示されたと判定した場合、CPU１３１は、ステップＳ２６に処理を進め、第１のサイズのAF枠を初期の位置に配置する。すなわち、CPU１３１は、AF領域の中心がEVFエリア２２１の中心にくるような位置に、AF枠２６１を配置する。
【０１３３】
そして、CPU１３１は、ステップＳ２７において、AF枠２６１の位置情報をカメラ部２２のカメラ制御部２１０に供給する。カメラ制御部２１０は、その位置情報に基づいて、配置されたAF枠２６１に囲まれたAF領域について、TTLコントラスト検出方式により、フォーカスを調整する。
【０１３４】
そして、フォーカス調整処理により合焦すると、CPU１３１は、処理をステップＳ２８に進め、AF枠の位置、およびフォーカス処理の終了を通知するように、表示制御部１３６を制御して、LCD２８に表示されているAF枠２６１を所定の時間点滅させる。点滅が終了するとCPU１３１は、処理を図１７のステップＳ２９に進める。
【０１３５】
ステップＳ２５において、ユーザにより、AF枠２６１の初期化が指示されていないと判定した場合、CPU１３１は、ステップＳ２６乃至Ｓ２８の処理を省略し、図１７のステップＳ２９に処理を進める。
【０１３６】
ステップＳ２９において、CPU１３１は、タッチパネル３６および入力部１３７を監視し、ユーザにより、メカキャプチャボタン２３が半押し操作された、若しくは、メイン画面２２０上のソフトキャプチャボタン２２７が操作れたかを判定する。
【０１３７】
メカキャプチャボタン２３が半押し操作された、若しくは、メイン画面２２０上のソフトキャプチャボタン２２７が操作れたと判定した場合、CPU１３１は、ステップＳ３０において、AF枠２６１に囲まれたAF領域について、TTLコントラスト検出方式により、フォーカスを調整する。
【０１３８】
そして、フォーカス調整処理により合焦すると、CPU１３１は、処理をステップＳ３１に進め、AF枠の位置、およびフォーカス処理の終了を通知するように、表示制御部１３６を制御して、LCD２８に表示されているAF枠２６１を所定の時間点滅させる。点滅が終了するとCPU１３１は、処理をステップＳ３２に進める。
【０１３９】
ステップＳ２９において、メカキャプチャボタン２３が半押し操作されておらず、かつ、メイン画面２２０上のソフトキャプチャボタン２２７が操作れていないと判定した場合、CPU１３１は、ステップＳ３０およびＳ３１の処理を省略し、ステップＳ３２に処理を進める。
【０１４０】
ステップＳ３２において、CPU１３１は、ユーザの指示等に基づいて、フォーカス処理を終了するか否かを判定する。終了しないと判定した場合、CPU１３１は、処理を図１６のステップＳ２１に戻し、それ以降の処理を繰り返す。
【０１４１】
また、ステップＳ３２において、フォーカス処理を終了すると判定した場合、CPU１３１は、ステップＳ３３において終了処理を行った後、常時AF処理を終了する。
【０１４２】
以上のような常時AFモードにより、どのような画像構成であっても、ユーザは、容易に、より好適なAF処理を行った静止画像を得ることができる。
【０１４３】
次に、図１８および図１９のフローチャートを参照して、ワンショットAFモードにおけるAF処理であるワンショットAF処理について説明する。上述したように、ワンショットAFモードの初期状態（ユーザがAF枠２６１の位置を指定していない状態）においても、常時AFモードの場合と同様に、図１４Ａに示されるように、EVFエリア２２１には、広めのAF領域の範囲を示す第１のサイズのAF枠２６１が、その中心がEVFエリア２２１の中心に位置するように、設けられている。
【０１４４】
CPU１３１は、ステップＳ６１において、タッチパネル３６を制御し、図１４Ｂに示されるように、ユーザによりAF枠２６１の位置が指定されたか否かを判定する。ユーザがLCD２８のEVFエリア２２１上を１回タップすると、タッチパネル３６は、それを検出し、CPU１３１にその位置情報を供給する。
【０１４５】
タッチパネル３６よりタップされた位置の位置情報が供給され、AF枠２６１の位置が指定されたと判定した場合、CPU１３１は、ステップＳ６２に処理を進め、供給された位置情報に基づいて、第１のサイズより小さい第２のサイズのAF枠を指定された位置に配置する。
【０１４６】
そして、CPU１３１は、ステップＳ６３において、AF枠２６１の位置情報をカメラ部２２のカメラ制御部２１０に供給し、カメラ制御部２１０は、その位置情報に基づいて、配置されたAF枠２６１に囲まれたAF領域について、TTLコントラスト検出方式により、フォーカスを調整する。
【０１４７】
そして、フォーカス調整処理により合焦すると、CPU１３１は、処理をステップＳ６４に進め、AF枠の位置、およびフォーカス処理の終了を通知するように、表示制御部１３６を制御して、LCD２８に表示されているAF枠２６１を所定の時間点滅させる。
【０１４８】
CPU１３１は、ステップＳ６５において、合焦した時点で、カメラ制御部２１０を制御して、レンズ部２０１のレンズ位置を固定させ、ステップＳ６６において、メカキャプチャボタン２３およびソフトキャプチャボタン２２７の操作による半押し処理を無効にする。
【０１４９】
すなわち、CPU１３１は、ユーザがメカキャプチャボタン２３を半押し操作してもフォーカスの調整処理が行われないようにし、ユーザがメカキャプチャボタン２３を全押し操作した場合、および、ユーザがソフトキャプチャボタン２２７を操作した場合、フォーカスの調整処理を行わずに、静止画像のキャプチャのみを行うようにする。
【０１５０】
半押し処理を無効にしたCPU１３１は、処理を図１９のステップＳ６７に進める。
【０１５１】
図１８のステップＳ６１において、タッチパネル３６より位置情報が供給されておらず、AF枠２６１の位置が指定されていないと判定した場合、CPU１３１は、ステップＳ６２乃至Ｓ６６の処理を省略し、図１９のステップＳ６７に処理を進める。
【０１５２】
図１９のステップＳ６７において、CPU１３１は、タッチパネル３６を制御し、ユーザによりAF枠２６１の初期化が指示されたか否かを判定する。ユーザがLCD２８のEVFエリア２２１上をダブルタップすると、タッチパネル３６は、それを検出し、CPU１３１にその情報を供給する。
【０１５３】
タッチパネル３６よりダブルタップの情報が供給され、AF枠２６１の初期化が指示されたと判定した場合、CPU１３１は、ステップＳ６８に処理を進め、第１のサイズのAF枠を初期の位置に配置する。すなわち、CPU１３１は、AF領域の中心がEVFエリア２２１の中心にくるような位置に、AF枠２６１を配置する。
【０１５４】
そして、ステップＳ６９において、カメラ制御部２１０は、配置されたAF枠２６１に囲まれたAF領域について、TTLコントラスト検出方式により、フォーカスを調整する。
【０１５５】
そして、フォーカス調整処理により合焦すると、CPU１３１は、処理をステップＳ７０に進め、AF枠の位置、およびフォーカス処理の終了を通知するように、表示制御部１３６を制御して、LCD２８に表示されているAF枠２６１を所定の時間点滅させる。
【０１５６】
CPU１３１は、ステップＳ６５およびＳ６６の場合と同様に、ステップＳ７１において、合焦した時点で、カメラ制御部２１０を制御して、レンズ部２０１のレンズ位置を固定させ、ステップＳ７２において、メカキャプチャボタン２３およびソフトキャプチャボタン２２７の操作による半押し処理を無効にする。そして、CPU１３１は、処理をステップＳ７３に進める。
【０１５７】
ステップＳ６７において、ユーザにより、AF枠２６１の初期化が指示されていないと判定した場合、CPU１３１は、ステップＳ６８乃至Ｓ７２の処理を省略し、ステップＳ７３に処理を進める。
【０１５８】
ステップＳ７３において、CPU１３１は、ユーザの指示等に基づいて、フォーカス処理を終了するか否かを判定する。終了しないと判定した場合、CPU１３１は、処理を図１８のステップＳ６１に戻し、それ以降の処理を繰り返す。
【０１５９】
また、ステップＳ７３において、フォーカス処理を終了すると判定した場合、CPU１３１は、ステップＳ７４において終了処理を行った後、ワンショットAF処理を終了する。
【０１６０】
以上のようなワンショットAFモードにより、いわゆる「置きピン」の撮影においても、ユーザは、容易に、より好適なAF処理を行った静止画像を得ることができる。
【０１６１】
以上においては、AF処理について説明したが、露光調整（AE処理）時に、狭い領域に対して測光処理を行うスポット測光の際に、撮影画枠の中心だけでなく、上述したAF領域のようにユーザがその位置を指定することができるようにしてもよい。
【０１６２】
ユーザが、図１２に示される設定画面３０１において、アンカーをスポット測光に位置させて指定すると、LCD２８には、図１２に示される設定画面３０１に重畳して、図２０に示されるような、設定内容選択画面が表示される。
【０１６３】
図２０において、設定画面３０１の設定一覧表示エリア３０２の、ユーザが選択した項目スポット測光以外の項目は、暗く表示される。ユーザが選択した項目３５１の右側には、対応する設定の一覧が表示された設定内容選択画面３５２が表示され、スポット測光に対応する設定として、「切」および「入」の２つのモードが表示される。現在設定されている「切」には、マークが表示されており、現在選択されている「入」には、アンカーが表示されている。
【０１６４】
ユーザは、図２０に示される設定内容選択画面３５２に表示されている一覧の中から、「入」の部分をタップしたり、ジョグダイヤル２５を回転させてアンカーを移動させ、押下したりすることで、スポット測光モードを指示することができる。
【０１６５】
通常のAE処理は、図２１Ａに示されるように、EVFエリア２２１（撮影画枠）のほぼ全域であるAE領域３６１を対象として行われる。図２０において、ユーザがスポット測光モードを設定すると、AE領域３６１は、図２１Ｂに示されるように、図２１Ａの場合より狭くなり、AE領域の中心を示すAE処理は、この狭いAE領域３６１を対象として行われる。
【０１６６】
また、スポット測光モード時は、EVFエリア２２１に、AE領域３６１の中心を示すスポット測光用ポインタ２６０が表示される。
【０１６７】
なお、この初期状態の場合（ユーザがAE領域３６１の位置を指定していない場合）、AE領域３６１は、その中心がEVFエリア２２１（撮影画枠）の中心に位置するように配置される。
【０１６８】
このとき、ユーザが図１０のソフトキャプチャボタン２２７を操作したり、メカキャプチャボタン２３を押下（全押し）したりすると、カメラ制御部２１０は、このAE領域を対象として、AE処理等の調整処理を行った後、画像のキャプチャ処理を行う。なお、メカキャプチャボタン２３を半押しした場合は、AE処理等の調整処理のみを行う。また、AE処理が完了した時点で、スポット測光用ポインタ２６０が点滅するようにしてもよいし、所定の確認音が鳴るようにしてもよい。
【０１６９】
これによりユーザは、ソフトキャプチャボタン２２７またはメカキャプチャボタン２３を操作するだけで、撮影画枠の中心付近のみで露光量が調整された画像（例えば、中央の被写体を浮き上がらせるなどの効果を施した画像）を得ることができる。
【０１７０】
また、このAE枠３６１の位置は、EVFエリア２２１内であれば、ユーザが任意に指定することができる。すなわち、ユーザが、図２１Ｃに示されるように、タッチペン３５等を用いて、EVFエリア２２１上を１回タップすると、CPU１３１は、タッチパネル３６より供給された位置情報に基づいて、ユーザがタップした位置がAE領域３６１の中心となるように、スポット測光用ポインタ２６０を移動させ、そのAE領域３６１を対象としたAE処理をカメラ部２２に実行させる。
【０１７１】
AE領域３６１を初期状態（図２１Ａに示される状態）に戻したい場合、ユーザは、EVFエリア２２１上において、ダブルタップを行う。CPU１３１は、タッチパネル３６より供給された、ユーザがダブルタップを行ったことを示す情報に基づいて、AE領域を初期化するとともに、表示制御部１３６を制御して、LCD２８に表示されているスポット測光用ポインタ２６０を初期状態に戻し、カメラ制御部２１０を制御して、AE処理を実行させる。
【０１７２】
なお、図２１Ｄに示されるように、上述した常時AFモードまたはワンショットAFモードにおいて、ユーザがAF枠２６１を移動させた際に、スポット測光用ポインタ２６０がAF領域の中心に位置するように、AE領域３６１も同様に移動させるようにしてもよい。
【０１７３】
さらに、図示は省略するが、図１４Ｄにの場合と同様に、EVFエリア２２１に所定の間隔で、複数のグリッド線を設定しておき、ユーザが、EVFエリア２２１上を１回タップすると、CPU１３１が、ユーザがタップした位置の位置情報をタッチパネル３６より取得し、最も近い位置のグリッド線の交点を算出し、その交点の座標がAE領域３６１の中心となるようにスポット測光用ポインタ２６０を移動させ、カメラ制御部２１０にAE処理を実行させるようにしてもよい。
【０１７４】
なお、以上において、AE領域３６１の範囲の広さは、通常時のAE領域３６１の広さが、スポット測光時の広さよりも広ければ、どのような広さであってもよい。また、AE領域３６１およびスポット測光用ポインタ２６０は、EVFエリア２２１に表示するようにしてもよいし、表示しないようにしてもよい。
【０１７５】
次に、上述したスポット測光モードにおけるAE処理について、具体的に説明する。ユーザが、図２０の設定画面３０１において、スポット測光項目３５１で「入」を選択すると、スポット測光モードに移行し、AE領域が、図２１Ａの状態から、図２１Ｂの状態に変化する。そして、PDA１は、スポットAE処理を開始する。
【０１７６】
図２２および図２３のフローチャートを参照して、スポット測光モードにおけるスポットAE処理について説明する。図２１Ｂを参照して上述したように、スポット測光モードの初期状態（ユーザがAE領域３６１の位置を指定していない状態）において、EVFエリア２２１には、狭い範囲のAE領域が、その中心がEVFエリア２２１の中心に位置するように、設定されており、EVFエリア２２１の中心にスポット測光用ポインタ２６０が表示されている。
【０１７７】
CPU１３１は、ステップＳ９１において、タッチパネル３６を制御し、図２１Ｃに示されるように、ユーザによりAE領域の位置が指定されたか否かを判定する。ユーザがLCD２８のEVFエリア２２１上を１回タップすると、タッチパネル３６は、それを検出し、CPU１３１にその位置情報を供給する。
【０１７８】
タッチパネル３６よりタップされた位置の位置情報が供給され、AE領域３６１の位置が指定されたと判定した場合、CPU１３１は、ステップＳ９２に処理を進め、供給された位置情報に基づいて、スポット測光用ポインタ２６０を指定された位置に配置する。すなわち、CPU１３１は、AE領域３６１を、ユーザに指定された位置が中心となるように設定する。
【０１７９】
そして、ステップＳ９３において、カメラ制御部２１０は、CPU１３１より供給されたAE領域の位置情報に基づいて、設定されたAE領域３６１について露出を調整し、AE処理を行う。
【０１８０】
そして、AE処理が完了すると、CPU１３１は、処理をステップＳ９４に進め、スポット測光用ポインタ２６０の位置、およびAE処理の終了を通知するように、表示制御部１３６を制御して、LCD２８に表示されているスポット測光用ポインタ２６０を所定の時間点滅させる。点滅が終了するとCPU１３１は、処理をステップＳ９５に進める。
【０１８１】
ステップＳ９１において、タッチパネル３６より位置情報が供給されておらず、AE領域３６１の位置が指定されていないと判定した場合、CPU１３１は、ステップＳ９２乃至Ｓ９４の処理を省略し、ステップＳ９５に処理を進める。
【０１８２】
ステップＳ９５において、タッチパネル３６を制御し、ユーザによりAE領域３６１の初期化が指示されたか否かを判定する。ユーザがLCD２８のEVFエリア２２１上をダブルタップすると、タッチパネル３６は、それを検出し、CPU１３１にその情報を供給する。
【０１８３】
タッチパネル３６よりダブルタップの情報が供給され、AE領域３６１の初期化が指示されたと判定した場合、CPU１３１は、ステップＳ９６に処理を進め、スポット測光用ポインタ２６０を初期の位置に配置する。すなわち、CPU１３１は、AE領域の中心がEVFエリア２２１の中心にくるような位置に、スポット測光用ポインタ２６０を配置する。
【０１８４】
そして、ステップＳ９７において、カメラ制御部２１０は、CPU１３１に供給されたAE領域３６１の位置情報に基づいて、設定されたAE領域３６１について露出を調整し、AE処理を行う。
【０１８５】
そして、AE処理が終了すると、CPU１３１は、処理をステップＳ９８に進め、スポット測光用ポインタの位置、およびAE処理の終了を通知するように、表示制御部１３６を制御して、LCD２８に表示されているスポット測光用ポインタ２６０を所定の時間点滅させる。点滅が終了するとCPU１３１は、処理を図２３のステップＳ９９に進める。
【０１８６】
ステップＳ９５において、ユーザにより、AE領域３６１の初期化が指示されていないと判定した場合、CPU１３１は、ステップＳ９６乃至Ｓ９８の処理を省略し、図２３のステップＳ９９に処理を進める。
【０１８７】
図２３のステップＳ９９において、CPU１３１は、タッチパネル３６および入力部１３７を監視し、ユーザにより、メカキャプチャボタン２３が半押し操作された、若しくは、メイン画面２２０上のソフトキャプチャボタン２２７が操作れたかを判定する。
【０１８８】
メカキャプチャボタン２３が半押し操作された、若しくは、メイン画面２２０上のソフトキャプチャボタン２２７が操作れたと判定した場合、CPU１３１は、ステップＳ１００において、AE領域３６１について、AE処理を実行する。
【０１８９】
そして、AE処理が終了すると、CPU１３１は、処理をステップＳ１０１に進め、スポット測光用ポインタ２６０の位置、およびAE処理の終了を通知するように、表示制御部１３６を制御して、LCD２８に表示されているスポット測光用ポインタ２６０を所定の時間点滅させる。点滅が終了するとCPU１３１は、処理をステップＳ１０２に進める。
【０１９０】
ステップＳ９９において、メカキャプチャボタン２３が半押し操作されておらず、かつ、メイン画面２２０上のソフトキャプチャボタン２２７が操作れていないと判定した場合、CPU１３１は、ステップＳ１００およびＳ１０１の処理を省略し、ステップＳ１０２に処理を進める。
【０１９１】
ステップＳ１０２において、CPU１３１は、ユーザの指示等に基づいて、スポットAE処理を終了するか否かを判定する。終了しないと判定した場合、CPU１３１は、処理を図２２のステップＳ９１に戻し、それ以降の処理を繰り返す。
【０１９２】
また、ステップＳ１０２において、スポットAE処理を終了すると判定した場合、CPU１３１は、ステップＳ１０３において終了処理を行った後、スポットAE処理を終了する。
【０１９３】
以上のようなスポット測光モードにより、ユーザは、容易に、撮影画枠内の任意の位置を対象とするスポットAE処理を行った静止画像を得ることができる。
【０１９４】
次に、図２１Ｄに示されるように、スポット測光用ポインタ２６０を、常にAE枠２６１の中心に位置させるように配置する場合のAF処理およびAE処理について説明する。
【０１９５】
最初に、上述した場合の、常時AFモードにおいて実行される常時AF処理について、図２４および図２５のフローチャートを参照して説明する。この場合も、上述した常時AFモードの場合と同様に、初期状態（ユーザがAF枠２６１の位置を指定していない状態）において、EVFエリア２２１には、広めのAF領域の範囲を示す第１のサイズのAF枠２６１が、その中心がEVFエリア２２１の中心に位置するように配置されている。また、スポット測光モードである場合、図２１Ｂに示されるように、EVFエリア２２１の中心にスポット測光用ポインタ２６０が配置されている。
【０１９６】
CPU１３１は、ステップＳ１２１において、タッチパネル３６を制御し、図２１Ｄに示されるように、ユーザによりAF枠２６１の位置が指定されたか否かを判定する。ユーザがLCD２８のEVFエリア２２１上を１回タップすると、タッチパネル３６は、それを検出し、CPU１３１にその位置情報を供給する。
【０１９７】
タッチパネル３６よりタップされた位置の位置情報が供給され、AF枠２６１の位置が指定されたと判定した場合、CPU１３１は、ステップＳ１２２に処理を進め、供給された位置情報に基づいて、第１のサイズより小さい第２のサイズのAF枠を指定された位置に配置する。
【０１９８】
そして、ステップＳ１２３において、CPU１３１は、AEのモードがスポット測光モードであるか否かを判定し、スポット測光モードであると判定した場合、ステップＳ１２４において、AE領域３６１の中心がAF領域の中心と同じ位置になるように、スポット測光用ポインタ２６０を配置する。スポット測光用ポインタ２６０を配置したCPU１３１は、処理をステップＳ１２５に進める。
【０１９９】
また、ステップＳ１２３において、スポット測光モードではないと判定した場合、CPU１３１は、ステップＳ１２４の処理を省略し、ステップＳ１２５に処理を進める。
【０２００】
ステップＳ１２５において、カメラ制御部２１０は、CPU１３１より供給されたAF領域およびAE領域３６１の位置情報に基づいて、配置されたAF枠２６１に囲まれたAF領域について、TTLコントラスト検出方式により、フォーカスを調整するとともに、配置されたAE領域３６１を対象として露出を調整する。
【０２０１】
そして、フォーカス調整および露出調整が終了すると、CPU１３１は、処理をステップＳ１２６に進め、AF枠２６１およびスポット測光用ポインタ２６０の位置、並びに調整処理の終了を通知するように、表示制御部１３６を制御して、LCD２８に表示されているAF枠２６１およびスポット測光用ポインタ２６０を所定の時間点滅させる。点滅が終了するとCPU１３１は、処理をステップＳ１２７に進める。
【０２０２】
ステップＳ１２１において、タッチパネル３６より位置情報が供給されておらず、AF枠２６１の位置が指定されていないと判定した場合、CPU１３１は、ステップＳ１２２乃至Ｓ１２６の処理を省略し、ステップＳ１２７に処理を進める。
【０２０３】
ステップＳ１２７において、CPU１３１は、タッチパネル３６を制御し、ユーザによりAF枠２６１の初期化が指示されたか否かを判定する。ユーザがLCD２８のEVFエリア２２１上をダブルタップすると、タッチパネル３６は、それを検出し、CPU１３１にその情報を供給する。
【０２０４】
タッチパネル３６よりダブルタップの情報が供給され、AF枠２６１の初期化が指示されたと判定した場合、CPU１３１は、ステップＳ１２８に処理を進め、第１のサイズのAF枠２６１を初期の位置に配置する。
【０２０５】
そして、CPU１３１は、ステップＳ１２９において、AEのモードがスポット測光モードであるか否かを判定し、スポット測光モードであると判定した場合、ステップＳ１３０において、AE領域３６１の中心がAF領域の中心と同じ位置になるように、スポット測光用ポインタ２６０を配置する。スポット測光用ポインタ２６０を配置したCPU１３１は、処理をステップＳ１３１に進める。
【０２０６】
また、ステップＳ１２９において、スポット測光モードではないと判定した場合、CPU１３１は、ステップＳ１３０の処理を省略し、ステップＳ１３１に処理を進める。
【０２０７】
ステップＳ１３１において、カメラ制御部２１０は、CPU１３１より供給されたAF枠２６１およびスポット測光用ポインタ２６０の位置情報に基づいて、配置されたAF枠２６１に囲まれたAF領域について、TTLコントラスト検出方式により、フォーカスを調整するとともに、AE領域３６１を対象とした露出の調整を行う。
【０２０８】
そして、それらの調整処理が終了すると、CPU１３１は、処理をステップＳ１３２に進め、AF枠２６１およびスポット測光用ポインタ２６０の位置、並びに調整処理の終了を通知するように、表示制御部１３６を制御して、LCD２８に表示されているAF枠２６１およびスポット測光用ポインタ２６０を所定の時間点滅させる。点滅が終了するとCPU１３１は、処理を図２５のステップＳ１３３に進める。
【０２０９】
ステップＳ１２７において、ユーザにより、AF枠２６１の初期化が指示されていないと判定した場合、CPU１３１は、ステップＳ１２８乃至Ｓ１３２の処理を省略し、図２５のステップＳ１３３に処理を進める。
【０２１０】
図２５のステップＳ１３３において、CPU１３１は、タッチパネル３６および入力部１３７を監視し、ユーザにより、メカキャプチャボタン２３が半押し操作された、若しくは、メイン画面２２０上のソフトキャプチャボタン２２７が操作れたかを判定する。
【０２１１】
メカキャプチャボタン２３が半押し操作された、若しくは、メイン画面２２０上のソフトキャプチャボタン２２７が操作れたと判定した場合、CPU１３１は、ステップＳ１３４において、AF枠２６１に囲まれたAF領域について、TTLコントラスト検出方式により、フォーカスを調整するとともに、AE領域３６１を対象とした露出の調整を行う。
【０２１２】
そして、調整処理が終了すると、CPU１３１は、処理をステップＳ１３５に進め、AF枠２６１およびスポット測光用ポインタ２６０の位置、並びに調整処理の終了を通知するように、表示制御部１３６を制御して、LCD２８に表示されているAF枠２６１およびスポット測光用ポインタ２６０を所定の時間点滅させる。点滅が終了するとCPU１３１は、処理をステップＳ１３６に進める。
【０２１３】
ステップＳ１３３において、メカキャプチャボタン２３が半押し操作されておらず、かつ、メイン画面２２０上のソフトキャプチャボタン２２７が操作れていないと判定した場合、CPU１３１は、ステップＳ１３４およびＳ１３５の処理を省略し、ステップＳ１３６に処理を進める。
【０２１４】
ステップＳ１３６において、CPU１３１は、ユーザの指示等に基づいて、フォーカス処理を終了するか否かを判定する。終了しないと判定した場合、CPU１３１は、処理を図２４のステップＳ１２１に戻し、それ以降の処理を繰り返す。
【０２１５】
また、ステップＳ１３６において、フォーカス処理を終了すると判定した場合、CPU１３１は、ステップＳ１３７において終了処理を行った後、常時AF処理を終了する。
【０２１６】
以上のような常時AFモードにより、どのような画像構成であっても、ユーザは、容易に、より好適なAF処理、および、より効果的なAE処理を行った静止画像を得ることができる。
【０２１７】
次に、図２６および図２７のフローチャートを参照して、上述したような場合の、ワンショットAFモードにおけるAF処理であるワンショットAF処理について説明する。上述したように、ワンショットAFモードの初期状態（ユーザがAF枠２６１の位置を指定していない状態）においても、常時AFモードの場合と同様に、図２１Ｂに示されるように、EVFエリア２２１には、広めのAF領域の範囲を示す第１のサイズのAF枠２６１が、その中心がEVFエリア２２１の中心に位置するように、設けられている。また、スポット測光モードである場合、図２１Ｂに示されるように、EVFエリア２２１の中心にスポット測光用ポインタ２６０が配置されている。
【０２１８】
CPU１３１は、ステップＳ１５１において、タッチパネル３６を制御し、図２１Ｄに示されるように、ユーザによりAF枠２６１の位置が指定されたか否かを判定する。ユーザがLCD２８のEVFエリア２２１上を１回タップすると、タッチパネル３６は、それを検出し、CPU１３１にその位置情報を供給する。
【０２１９】
タッチパネル３６よりタップされた位置の位置情報が供給され、AF枠２６１の位置が指定されたと判定した場合、CPU１３１は、ステップＳ１５２に処理を進め、供給された位置情報に基づいて、第１のサイズより小さい第２のサイズのAF枠を指定された位置に配置する。
【０２２０】
ステップＳ１５３において、CPU１３１は、AEのモードがスポット測光モードであるか否かを判定し、スポット測光モードであると判定した場合、ステップＳ１５４において、AE領域３６１の中心がAF領域の中心と同じ位置になるように、スポット測光用ポインタ２６０を配置する。スポット測光用ポインタ２６０を配置したCPU１３１は、処理をステップＳ１５５に進める。
【０２２１】
また、ステップＳ１５３において、スポット測光モードではないと判定した場合、CPU１３１は、ステップＳ１５４の処理を省略し、ステップＳ１５５に処理を進める。
【０２２２】
ステップＳ１５５において、CPU１３３は、AF枠２６１の位置情報をカメラ部２２のカメラ制御部２１０に供給し、カメラ制御部２１０は、その位置情報に基づいて、配置されたAF枠２６１に囲まれたAF領域について、TTLコントラスト検出方式により、フォーカスを調整するとともに、AE領域３６１を対象としてAE処理を行い、露出の調整を行う。
【０２２３】
そして、調整処理が終了すると、CPU１３１は、処理をステップＳ１５６に進め、AF枠２６１およびスポット測光用ポインタ２６０の位置、および調整処理の終了を通知するように、表示制御部１３６を制御して、LCD２８に表示されているAF枠２６１およびスポット測光用ポインタ２６０を所定の時間点滅させる。
【０２２４】
CPU１３１は、ステップＳ１５７において、調整処理が終了した時点で、カメラ制御部２１０を制御して、レンズ部２０１の絞りおよびレンズ位置を固定させ、露出およびフォーカスを固定する。さらにCPU１３１は、ステップＳ１５８において、メカキャプチャボタン２３およびソフトキャプチャボタン２２７の操作による半押し処理を無効にする。
【０２２５】
半押し処理を無効にしたCPU１３１は、処理を図２７のステップＳ１５９に進める。
【０２２６】
図２６のステップＳ１５１において、タッチパネル３６より位置情報が供給されておらず、AF枠２６１の位置が指定されていないと判定した場合、CPU１３１は、ステップＳ１５２乃至Ｓ１５８の処理を省略し、図２７のステップＳ１５９に処理を進める。
【０２２７】
図２７のステップＳ１５９において、CPU１３１は、タッチパネル３６を制御し、ユーザによりAF枠２６１の初期化が指示されたか否かを判定する。ユーザがLCD２８のEVFエリア２２１上をダブルタップすると、タッチパネル３６は、それを検出し、CPU１３１にその情報を供給する。
【０２２８】
タッチパネル３６よりダブルタップの情報が供給され、AF枠２６１の初期化が指示されたと判定した場合、CPU１３１は、ステップＳ１６０に処理を進め、第１のサイズのAF枠を初期の位置に配置する。
【０２２９】
CPU１３１は、ステップＳ１６１において、AEのモードがスポット測光モードであるか否かを判定し、スポット測光モードであると判定した場合、ステップＳ１６２において、AE領域３６１の中心がAF領域の中心と同じ位置になるように、スポット測光用ポインタ２６０を配置する。スポット測光用ポインタ２６０を配置したCPU１３１は、処理をステップＳ１６３に進める。
【０２３０】
また、ステップＳ１６１において、スポット測光モードではないと判定した場合、CPU１３１は、ステップＳ１６２の処理を省略し、ステップＳ１６３に処理を進める。
【０２３１】
そして、ステップＳ１６３において、カメラ制御部２１０は、配置されたAF枠２６１に囲まれたAF領域について、TTLコントラスト検出方式により、フォーカスを調整するとともに、AE領域３６１を対象としてAE処理を行い、露出を調整する。
【０２３２】
調整処理が終了すると、CPU１３１は、処理をステップＳ１６４に進め、AF枠２６１およびスポット測光用ポインタ２６０の位置、および調整処理の終了を通知するように、表示制御部１３６を制御して、LCD２８に表示されているAF枠２６１およびスポット測光用ポインタ２６０を所定の時間点滅させる。
【０２３３】
CPU１３１は、ステップＳ１５７およびＳ１５８の場合と同様に、ステップＳ１６５において、調整処理が終了した時点で、カメラ制御部２１０を制御して、レンズ部２０１の絞りおよびレンズ位置を固定させ、露出およびフォーカス位置を固定し、ステップＳ１６６において、メカキャプチャボタン２３およびソフトキャプチャボタン２２７の操作による半押し処理を無効にする。そして、CPU１３１は、処理をステップＳ１６７に進める。
【０２３４】
ステップＳ１５９において、ユーザにより、AF枠２６１の初期化が指示されていないと判定した場合、CPU１３１は、ステップＳ１６０乃至Ｓ１６６の処理を省略し、ステップＳ１６７に処理を進める。
【０２３５】
ステップＳ１６７において、CPU１３１は、ユーザの指示等に基づいて、フォーカス処理を終了するか否かを判定する。終了しないと判定した場合、CPU１３１は、処理を図２６のステップＳ１５１に戻し、それ以降の処理を繰り返す。
【０２３６】
また、ステップＳ１６７において、フォーカス処理を終了すると判定した場合、CPU１３１は、ステップＳ１６８において終了処理を行った後、ワンショットAF処理を終了する。
【０２３７】
以上のようなワンショットAFモードにより、いわゆる「置きピン」の撮影においても、ユーザは、容易に、より好適なAF処理、および、より効果的なAE処理を行った静止画像を得ることができる。
【０２３８】
以上において、AF処理は、TTLコントラスト検出方式を用いて行うように説明したが、AF処理の方法はこれ以外であってもよく、例えば、赤外線や超音波を出力することにより被写体までの距離を測定する各種のアクティブ方式や、撮影レンズを通った光を二つに分け、そのズレの量と方向を検出してピント位置を検出するTTL位相差検出方式等であってもよい。
【０２３９】
また、AF処理およびAE処理等の調整処理の終了を、AF枠２６１およびスポット測光用ポインタ２６０を点滅させることでユーザに通知するように説明したが、これに限らず、他のインジケータを用いるようにしてもよいし、確認音を出力するようにしてもよいし、さらに、複数の方法を組み合わせるようにしてもよい。
【０２４０】
さらに、確認音は、例えば、フォーカスモードが切り替えられた時や静止画像がキャプチャされた時などのように、その他の処理が行われる毎に出力されるようにしてもよい。その際、確認音が対応する処理によって確認音の内容を変更するようにしてもよい。
【０２４１】
なお、ユーザによるAF領域やAE領域の位置の指定は、各領域の中心であるように説明したが、これに限らず、例えば、領域の右上端の座標等、領域のどの位置を指定するようにしてもよい。さらに、ユーザが指定した座標が領域の外に位置するように、AF領域やAE領域を移動するようにしてもよい。
【０２４２】
また、ユーザによるAF領域やAE領域の位置の指定は、ユーザがEVFエリア２２１上をダブルタップした場合に、初期化されるように説明したが、これに限らず、ユーザが、所定の時間より長時間EVFエリア２２１上をタップした場合に初期化されるようにしてもよいし、静止画像がキャプチャされた場合に初期化されるようにしてもよいし、これらのうち、いずれかの場合に初期化されるようにしてもよい。
【０２４３】
以上においては、撮像機能付きPDAを用いて説明したが、これに限らず、例えば、デジタルスチルカメラや撮像機能を有する携帯型電話機等のように、AF機能およびAE機能を含む撮像機能を備え、さらに、得られた画像を表示するディスプレイを備える電子機器であれば何でもよい。
【０２４４】
従って、上述した例のように、ディスプレイにタッチパネルが重畳されていなくても、例えば、十字キー等のような、AF枠２６１やスポット測光用ポインタの位置を自在に移動させることのできる入力部を備えた電子機器であればよいが、特に、ディスプレイにタッチパネルが重畳された、撮像機能を有するPDAやノート型パーソナルコンピュータ等の場合、AF枠２６１やスポット測光用ポインタの操作をより容易に行うことができる。
【０２４５】
また、以上においては、カメラ２２やLCD２８等は、１台のPDAとして構成されるように説明したが、これに限らず、上述したPDA１の各部が別体で構成されるようにしてもよい。
【０２４６】
また、上述した例においては、スロット６４に装着されるメモリは、メモリカード１４３であったが、スロット６４が対応できる記録媒体であれば限定されない。例えば、図示はしないが、その他の半導体メモリ、磁気ディスク、光ディスク、または光磁気ディスク等でもよい。
【０２４７】
なお、以上の処理は、ハードウェアにより実行することができるが、ソフトウェアにより実行させることもできる。一連の処理をソフトウェアにより実行させる場合には、そのソフトウェアを構成するプログラムがPDA１に、ネットワークや記録媒体からインストールされる。ただし、記録媒体は、PDA１に直接装着される場合のみならず、必要に応じて他の装置に装着される場合もある。この場合、他の装置とPDA１が相互に通信を行うことで、プログラムがPDA１にインストールされる。
【０２４８】
この記録媒体は、図８に示されるように、装置本体とは別に、ユーザにプログラムを供給するために配布される、プログラムが記憶されているメモリスティック１４３といった半導体メモリのみならず、図示はしないが、例えば、磁気ディスク（フロッピディスクを含む）、光ディスク（CD-ROM(Compact Disk-Read only Memory),DVD(Digital Versatile Disk)を含む）、もしくは光磁気ディスク（ＭＤ（Mini-Disk）を含む）などよりなるパッケージメディアにより構成されることができる。さらに、装置本体に予め組み込まれた状態でユーザに供給される、プログラムが記憶されているROM１３２や、EEPROMやハードディスクとしての記憶部１３９などで構成される。
【０２４９】
なお、以上においては、各フローチャートに示される処理は、図８のCPU１３１がソフトウェアにより実行するようにしたが、各処理を実行するハードウェアを用意するようにして、ハードウェアにより実行されるようにすることも、もちろん可能である。
【０２５０】
なお、本明細書において、記録媒体に記録されるプログラムを記述するステップは、記載された順序に沿って時系列的に行われる処理はもちろん、必ずしも時系列的に処理されなくとも、並列的あるいは個別に実行される処理をも含むものである。
【０２５１】
【発明の効果】
以上のように、本発明によれば、被写体を撮像することができる。特に、より好適な自動合焦を行うことができる。
【図面の簡単な説明】
【図１】本発明を適用したPDAの正面の構成例を表す外観図である。
【図２】図１のPDAの裏面の構成例を表す外観図である。
【図３】図１のPDAの表示部の回動および開閉操作を説明する斜視図である。
【図４】図１のPDAの表示部の回動および開閉操作を説明する斜視図である。
【図５】図１のPDAの表示部の回動および開閉操作を説明する斜視図である。
【図６】図１のPDAの使用状態を示す図である。
【図７】図１のPDAの使用状態を示す図である。
【図８】図１のPDAの内部の構成例を示すブロック図である。
【図９】図２４のPDAのカメラ部の内部の構成例を示すブロック図である。
【図１０】静止画撮影モード時のメイン画面の様子を示す模式図である。
【図１１】図１０のEVFエリアの表示例を示す模式図である。
【図１２】設定画面の構成例を示す模式図である。
【図１３】設定画面の他の構成例を示す模式図である。
【図１４】AF枠の表示例を示す模式図である。
【図１５】図１のPDAの撮像処理を説明するフローチャートである。
【図１６】図１のPDAの常時AF処理について説明するフローチャートである。
【図１７】図１のPDAの常時AF処理について説明する、図１６に続くフローチャートである。
【図１８】図１のPDAのワンショットAF処理について説明するフローチャートである。
【図１９】図１のPDAのワンショットAF処理について説明する、図１８に続くフローチャートである。
【図２０】設定画面の、さらに他の構成例を示す模式図である。
【図２１】スポット測光用ポインタの表示例を示す模式図である。
【図２２】図１のPDAのスポットAE処理について説明するフローチャートである。
【図２３】図１のPDAのスポットAE処理について説明する、図２２に続くフローチャートである。
【図２４】図１のPDAの常時AF処理の他の例について説明するフローチャートである。
【図２５】図１のPDAの常時AF処理の他の例について説明する、図２４に続くフローチャートである。
【図２６】図１のPDAのワンショットAF処理の他の例について説明するフローチャートである。
【図２７】図１のPDAのワンショットAF処理の他の例について説明する、図２６に続くフローチャートである。
【符号の説明】
２２  カメラ，  ２３  メカキャプチャボタン，  ２８  LCD，  １３１  CPU，  １３６  表示制御部，  ２０１  レンズ部，  ２０２  CCD，  ２１０  カメラ制御部，  ２１１  レンズ部駆動回路，  ２２１  EVFエリア，  ２２７  ソフトキャプチャボタン，  ２６０  スポット測光用ポインタ，  ２６１  AF枠，  ３６１  AE領域
【図１】
2004208122.tif 000003
【図２】
2004208122.tif 000004
【図３】
2004208122.tif 000005
【図４】
2004208122.tif 000006
【図５】
2004208122.tif 000007
【図６】
2004208122.tif 000008
【図７】
2004208122.tif 000009
【図８】
2004208122.tif 000010
【図９】
2004208122.tif 000011
【図１０】
2004208122.tif 000012
【図１１】
2004208122.tif 000013
【図１２】
2004208122.tif 000014
【図１３】
2004208122.tif 000015
【図１４】
2004208122.tif 000016
【図１５】
2004208122.tif 000017
【図１６】
2004208122.tif 000018
【図１７】
2004208122.tif 000019
【図１８】
2004208122.tif 000020
【図１９】
2004208122.tif 000021
【図２０】
2004208122.tif 000022
【図２１】
2004208122.tif 000023
【図２２】
2004208122.tif 000024
【図２３】
2004208122.tif 000025
【図２４】
2004208122.tif 000026
【図２５】
2004208122.tif 000027
【図２６】
2004208122.tif 000028
【図２７】
2004208122.tif 000029